(57)【要約】      （修正有）【課題】リズム運動の動態美観を具備するアクセサリーのスウィング装置を提供する。【解決手段】１つの外殻(1)内に１つの電池ケース(11)を有し、外殻(1)両側に１つずつ固定座(13)を有し、外殻(1)を貫通する１つのみぞ(15)を有し、該電池ケース(11)には電池が設置され、２つの該固定座(13)にはそれぞれ電子回路(12)とコイル(14)とが設置され、該みぞ(15)内には１つのスウィングアセンブリ(2)が設置され、該外殻(1)の両側の相対する位置にスウィング体(3)(4)が設置され、該スウィングアセンブリ(2)の両端はスウィング体(3)(4)の伝動支柱体(33)(43)の伝動ロッド(31)(41)により貫通される。【選択図】図２
0003117494.tif 000002
【実用新案登録請求の範囲】
【請求項１】
主に１つの外殻(1)と、１つのスウィングアセンブリ(2)と、２つのスウィング体(3)(4)とを含み、
該外殻(1)内に電池を設置できる電池ケース(11)を有し、
該電池ケース(11)上方両側に電子回路(12)(12’)を設置できる固定座(13)(13’)を有し、
各固定座(13)(13’)上に１つずつ電子回路(12)(12’)が設置され、
更に各電子回路(12)(12’)上に１つずつコイル(14)(14’)が設置され、
又、該電池ケース(11)下方にスウィングアセンブリ(2)を設置できる１つのみぞ(15)を有し、
該スウィングアセンブリ(2)は１つの固定柱(21)とスウィングロッド(22)とを有し、
該スウィングロッド(22)は両端にスウィング体(3)(4)の伝動ロッド(31)(41)が貫通できる貫通槽(221)(222)を有し、
該固定柱(21)上にスウィングロッド(22)が係合設置され、
且つ、該固定柱(21)がみぞ(15)内に固定設置され、
該スウィング体(3)(4)は該外殻(1)の両側に設置され、
該スウィング体(3)(4)は上端のコイル(14)(14’)に相対する位置にそれぞれ１つの磁石(32)(42)が設置され、
又、中段の内側の適当な位置に伝動支柱体(33)(43)を有し、
該伝動支柱体(33)(43)は軸上に伝動ロッド(31)(41)を有することを特徴とするアクセサリーのスウィング装置。
【請求項２】
上記構造中、中段の外側の伝動支柱体(33)(43)の反対側には１つの枢結みぞ(34)(44)を有し、
該枢結みぞ(34)(44)は蓋体(35)(45)の凸縁(351)(451)を枢軸設置でき、
又、該蓋体(35)(45)はネジ孔(352)(452)を有することにより外殻(1)の凸柱(17)(17’)上にネジ固定されることを特徴とする請求項１記載のアクセサリーのスウィング装置。
【請求項３】
該スウィング体(3)(4)は該伝動支柱体(33)(43)は１つの貫通孔(331)(431)を有し、
該外殻(1)上の該貫通孔(331)(431)に相対する所に貫通孔(16)が設けられ、
貫通孔(16)に中心柱(36)を設置し、
中心柱(36)の両端に貫通孔(331)及び貫通孔(431)を係合することにより、スウィング体(3)(4)は中心柱(36)により外殻(1)上に設置されることを特徴とする請求項１記載のアクセサリーのスウィング装置。
【請求項４】
上記構造中、該スウィング体(3)(4)と外殻(1)の形状はスウィング方式により変化することができることを特徴とする請求項１記載のアクセサリーのスウィング装置。
【請求項５】
上記構造中、該スウィング体(3)は端縁部にスウィングアーム(5)を設置してもよく、
該スウィングアーム(5)は１つの枢結孔(51)により該外殻(1)上に枢軸設置され、
且つ、該スウィングアーム(5)は内側に凸柱(52)を有し、
該凸柱(52)は該スウィング体(3)に設けられた限位槽(37)内に係合され、
且つ、限位槽(37)により制限を受けることにより、スウィング体(3)がスウィングする時、該スウィングアーム(5)はスウィング体(3)と反対方向にスウィングし、
又、該スウィング体(4)端縁部にスウィングアーム(6)を同様に設置することにより、人が歩いたり、走ったりする動作に似たスウィング動作を具備させることができることを特徴とする請求項１記載のアクセサリーのスウィング装置。
【考案の詳細な説明】
【技術分野】
【０００１】
本考案は一種のアクセサリーのスウィング装置の構造に係るものであり、特に、おもちゃ、時計、或いは吊り下げアクセサリーに取り付けることにより、スウィング体(3)(4)をスウィングさせ、アクセサリーにリズム感を具備するスウィング装置を増することができるアクセサリーのスウィング装置の構造に係るものである。
【背景技術】
【０００２】
従来の一般的なおもちゃ、時計、吊り下げ等のアクセサリーは掛け置き、或いは吊り下げ方式により適当な位置に設置されるものがある。この種のアクセサリーは静態装飾美感の効果を有するが、静止状態である為、外観が単調である。
【０００３】
又、アクセサリーの中にはスウィング機能を具備するものもあるが、単調な動作のものばかりであり、更に動態美感を具備する商品開発が待たれている。
【考案の開示】
【考案が解決しようとする課題】
【０００４】
本考案は、リズム運動の動態美観を具備するアクセサリーのスウィング装置を提供することを課題とする。
【課題を解決するための手段】
【０００５】
前記の目的を図るために、本考案のアクセサリーのスウィング装置の構造は
１つの外殻(1)内に１つの電池ケース(11)を有し、外殻(1)両側に１つずつ固定座(13)を有し、外殻(1)を貫通する１つのみぞ(15)を有し、
該電池ケース(11)には電池が設置され、
２つの該固定座(13)にはそれぞれ電子回路(12)とコイル(14)とが設置され、
該みぞ(15)内には１つのスウィングアセンブリ(2)が設置され、
該外殻(1)の両側の相対する位置にスウィング体(3)(4)が設置され、
該スウィングアセンブリ(2)の両端はスウィング体(3)(4)の伝動支柱体(33)(43)の伝動ロッド(31)(41)により貫通されることにより、２つのスウィング体(3)(4)を常に交差相対させることができ、
且つ、該外殻(1)の両側に設置され、交差相対する２つのスウィング体(3)(4)の上端の該コイル(14)と相対する位置に磁石(32)(42)が設置され、
該磁石(32)(42)と、該コイル(14)とが発生させる磁場の反発により磁石(32)(42)を動かすことにより、該スウィング体(3)(4)は伝動支柱体(33)(43)を中心点としてスウィングすることができ、
且つ、スウィングアセンブリ(2)の制限によりスウィング体(3)(4)は反対方向にスウィングすることができ、
上記構造によりアクセサリーにリズム運動の動態効果を付帯させることができる。
【０００６】
以下に添付図面を参照して本考案のある好適な実施の形態を詳細に説明するが、それらの構成は本考案の構造の絶対的な制限にならない。
【考案を実施するための最良の形態】
【０００７】
図１〜４が示す如く、本考案は主に１つの外殻(1)と、１つのスウィングアセンブリ(2)と、２つのスウィング体(3)(4)とを含み、
該外殻(1)内に電池を設置できる電池ケース(11)を有し、
該電池ケース(11)上方両側に電子回路(12)(12’)を設置できる固定座(13)(13’)を有し、
各固定座(13)(13’)上に１つずつ電子回路(12)(12’)が設置され、
更に各電子回路(12)(12’)上に１つずつコイル(14)(14’)が設置され、
又、該電池ケース(11)下方にスウィングアセンブリ(2)を設置できる１つのみぞ(15)を有する。
【０００８】
該スウィングアセンブリ(2)は１つの固定柱(21)とスウィングロッド(22)とを有し、
該スウィングロッド(22)は両端にスウィング体(3)(4)の伝動ロッド(31)(41)が貫通できる貫通槽(221)(222)を有し、
該固定柱(21)上にスウィングロッド(22)が係合設置され、
且つ、該固定柱(21)がみぞ(15)内に固定設置される。
【０００９】
該スウィング体(3)(4)は該外殻(1)の両側に設置され、
該スウィング体(3)(4)は上端のコイル(14)(14’)に相対する位置にそれぞれ１つの磁石(32)(42)が設置され、
又、中段の内側の適当な位置に伝動支柱体(33)(43)を有し、
該伝動支柱体(33)(43)は軸上に伝動ロッド(31)(41)を有し、
又、中段の外側の伝動支柱体(33)(43)の反対側には１つの枢結みぞ(34)(44)を有し、
該枢結みぞ(34)(44)は蓋体(35)(45)の凸縁(351)(451)を枢軸設置でき、
又、該蓋体(35)(45)はネジ孔(352)(452)を有することにより外殻(1)の凸柱(17)(17’)上にネジ固定され、
又、該伝動支柱体(33)(43)は１つの貫通孔(331)(431)を有し、
該外殻(1)上の該貫通孔(331)(431)に相対する所に貫通孔(16)が設けられ、
貫通孔(16)に中心柱(36)を設置し、
中心柱(36)の両端に貫通孔(331)及び貫通孔(431)を係合することにより、スウィング体(3)(4)は中心柱(36)により外殻(1)上に設置される。
【００１０】
上記構造における本考案の動作状況は下記の如くである。
【００１１】
図５〜８が示す如く、電子回路(12)(12’)及びコイル(14)(14’)を固定座(13)(13’)上に設置し、
スウィングロッド(22)を固定柱(21)上に係合設置し、
固定柱(21)をみぞ(15)内に固定設置し、
中心柱(36)を貫通孔(16)内に設置し、
且つ、中心柱(36)の両側にスウィング体(3)の貫通孔(331)とスウィング体(4)の貫通孔(431)とを係合設置し、
伝動ロッド(31)(41)をそれぞれ貫通槽(221)(222)内に貫通設置し、
蓋体(35)(45)を外殻(1)上に係合することにより、各部の組み合わせを完成させ、
更に、電池を設置することにより、該磁石(32)(42)と、該コイル(14)とが発生させる磁場の反発により磁石(32)(42)を動かすことにより、該スウィング体(3)(4)は伝動支柱体(33)(43)を中心点としてスウィングし、
この時、伝動ロッド(31)(41)が貫通槽(221)(222)により制限を受け、交差相対の反復動作を繰り返す為、人が歩いたり、走ったりする動作に似たスウィング動作を具備させることができる。
【００１２】
図９は本考案の実施例１で、該スウィング体(3)は端縁部にスウィングアーム(5)を設置してもよく、
該スウィングアーム(5)は１つの枢結孔(51)により該外殻(1)上に枢軸設置され、
且つ、該スウィングアーム(5)は内側に凸柱(52)を有し、
該凸柱(52)は該スウィング体(3)に設けられた限位槽(37)内に係合され、
且つ、限位槽(37)により制限を受けることにより、スウィング体(3)がスウィングする時、該スウィングアーム(5)はスウィング体(3)と反対方向にスウィングし、
又、該スウィング体(4)端縁部にスウィングアーム(6)を同様に設置することにより、人が歩いたり、走ったりする動作に似たスウィング動作を具備させることができる。
【００１３】
図１０は本考案の実施例２で、外殻(1)は外縁に１つのカバー(7)を設置してもよい。
【図面の簡単な説明】
【００１４】
【図１】本考案のアクセサリーのスウィング装置の構造を示す立体組み合わせ図である。
【図２】本考案のアクセサリーのスウィング装置の構造を示す立体分解図である。
【図３】本考案のアクセサリーのスウィング装置の外殻(1)のもう１つの側の立体組み合わせ図である。
【図４】本考案のアクセサリーのスウィング装置のスウィングしていない状態を示す平面図である。
【図５】本考案のアクセサリーのスウィング装置のスウィングしている状態を示す平面図である。
【図６】本考案のアクセサリーのスウィング装置の構造を示す断面図である。
【図７】本考案のアクセサリーのスウィング装置のスウィングしていない状態を示す部分断面図である。
【図８】本考案のアクセサリーのスウィング装置のスウィングしている状態を示す部分断面図である。
【図９】本考案のアクセサリーのスウィング装置の構造の比較的よい第一実施例の図である。
【図１０】本考案のアクセサリーのスウィング装置の構造の比較的よい第二実施例の図である。
【符号の説明】
【００１５】
1 外殻
11  電池ケース
12, 12’  電子回路
13, 13’  固定座
14, 14’  コイル
15  みぞ
16  貫通孔
17, 17’  凸柱
2  スウィングアセンブリ
21  固定柱
22  スウィングロッド
221, 222  貫通槽
3, 4  スウィング体
31, 41  伝動ロッド
32, 42  磁石
33, 43  伝動支柱体
331, 431  貫通孔
34, 44  枢結みぞ
35, 45  蓋体
351, 451  凸縁
352, 452  ネジ孔
36  中心柱
37  限位槽
5, 6  スウィングアーム
51  枢結孔
52  凸柱
7  カバー
【図１】
0003117494.tif 000003
【図２】
0003117494.tif 000004
【図３】
0003117494.tif 000005
【図４】
0003117494.tif 000006
【図５】
0003117494.tif 000007
【図６】
0003117494.tif 000008
【図７】
0003117494.tif 000009
【図８】
0003117494.tif 000010
【図９】
0003117494.tif 000011
【図１０】
0003117494.tif 000012